(57)【特許請求の範囲】
【請求項１】
サーバからのメッセージを、インターネットを介して受信する受信手段と、
受信した前記メッセージに含まれるパラメータを抽出する抽出手段と、
抽出した前記パラメータに基づいて、自局が管理するセルを識別するセルＩＤを設定する設定手段と、
設定した前記セルＩＤを基に、前記セルにおいて自局から送られる下り信号の送信に必要な信号を生成する生成手段と、
を具備する基地局装置。
【請求項２】
前記抽出手段は、自局に割り当てられたＩＰアドレスを前記パラメータとして抽出する請求項１記載の基地局装置。
【請求項３】
前記設定手段は、前記パラメータの一部のみを使用して前記セルＩＤを設定する請求項１記載の基地局装置。
【請求項４】
前記生成手段は、前記セルにおける自局からの下り信号の送信に必要な信号としてスクランブルコードを生成する請求項１記載の基地局装置。
【請求項５】
前記生成手段は、前記セルにおける自局からの下り信号の送信に必要な信号としてリファレンス信号を生成する請求項１記載の基地局装置。
【請求項６】
サーバからのメッセージを、インターネットを介して受信するステップと、
受信した前記メッセージに含まれるパラメータを抽出するステップと、
抽出した前記パラメータに基づいて、前記基地局装置が管理するセルを識別するセルＩＤを設定するステップと、
設定した前記セルＩＤを基に、前記セルにおいて前記基地局装置から送られる下り信号の送信に必要な信号を生成するステップと、
を具備するセルＩＤの設定方法。
【発明の詳細な説明】
【技術分野】
【０００１】
本発明は基地局装置及びセルＩＤの設定方法に関し、特にユーザが基地局装置を設置した場合にセルＩＤを自律的に決定する基地局装置及びセルＩＤの設定方法に関する。
【背景技術】
【０００２】
従来、マクロセル（macro cell）等の基地局装置は、専門業者が事前に現地調査を行い、置局設計及びパラメータの最適化を行う（例えば、特許文献１）。従って、マクロセル等の基地局装置は、通常、隣接セル間の干渉が最小になるようなセルＩＤが割り当てられる。
【０００３】
また、近年、携帯電話の不感地帯を解消するために、フェムトセル（femto cell）と呼ばれる小型の基地局装置の開発が行われている。フェムトセルは、マクロセル等と異なり、一般ユーザが適宜設置する。従って、フェムトセルは、周辺セルとの干渉を一切考慮せずに、ユーザにより任意の場所に設置される。
【０００４】
図１は、隣接するセルを示す図である。図１より、例えば、マクロセル＃１のセルＩＤは「０ｘＡＣ８０」であり、マクロセル＃２のセルＩＤは「０ｘＢ９２Ｆ」である場合、隣接するマクロセル＃１とマクロセル＃２とは互いに干渉しない。一方、図１に示すように、一般ユーザが、マクロセル＃１とマクロセル＃２とに隣接するフェムトセル＃３を設置した場合において、フェムトセル＃３のセルＩＤが「０ｘＡＣ８０」である場合には、マクロセル＃１のセルＩＤとフェムトセル＃３のセルＩＤとは同一であるので、マクロセル＃１とフェムトセル＃３とは互いに干渉する。このようなセル間の干渉が生じた場合には、フェムトセルのパラメータの再設定が必要になる。
【先行技術文献】
【特許文献】
【０００５】
【特許文献１】特開２００８−１７２３８０号公報
【発明の概要】
【発明が解決しようとする課題】
【０００６】
しかしながら、従来においては、専門知識の無い一般ユーザがセルＩＤの設定を変更するのは困難であるという問題がある。また、フェムトセルを設置することによるセル間の干渉を防ぐために、フェムトセルの出荷時において、フェムトセルに対してあらかじめランダムにパラメータを割り当てる方法が考えられる。しかしながら、この場合においても、フェムトセルは、一般ユーザが任意の場所に設置するので、自局に割り当てられたセルＩＤと相関の高いセルＩＤが割り当てられたマクロセルまたは他のフェムトセルと隣接する可能性があり、フェムトセルのパラメータの再設定が必要になる。
【０００７】
本発明の目的は、一般ユーザが設置する基地局装置において、セルＩＤの設定が必要な場合に、セルＩＤの設定を容易に行うことができる基地局装置及びセルＩＤの設定方法を提供することである。
【課題を解決するための手段】
【０００８】
本発明の基地局装置は、サーバからのメッセージを、インターネットを介して受信する受信手段と、受信した前記メッセージに含まれるパラメータを抽出する抽出手段と、抽出した前記パラメータに基づいて、自局が管理するセルを識別するセルＩＤを設定する設定手段と、設定した前記セルＩＤを基に、前記セルにおいて自局から送られる下り信号の送信に必要な信号を生成する生成手段と、を具備する構成を採る。
【０００９】
本発明のセルＩＤの設定方法は、サーバからのメッセージを、インターネットを介して受信するステップと、受信した前記メッセージに含まれるパラメータを抽出するステップと、抽出した前記パラメータに基づいて、前記基地局装置が管理するセルを識別する前記セルＩＤを設定するステップと、設定した前記セルＩＤを基に、前記セルにおいて前記基地局装置から送られる下り信号の送信に必要な信号を生成するステップと、を具備するようにした。
【発明の効果】
【００１０】
本発明によれば、一般ユーザが設置する基地局装置において、セルＩＤの設定が必要な場合に、セルＩＤの設定を容易に行うことができる。
【図面の簡単な説明】
【００１１】
【図１】隣接するセルを示す図
【図２】本発明の実施の形態１に係る基地局装置の構成を示すブロック図
【図３】本発明の実施の形態１に係るセルＩＤの設定方法を示すシーケンス図
【図４】本発明の実施の形態１に係るＤＨＣＰサーバと基地局装置との接続状態を示す図
【図５】本発明の実施の形態２に係る基地局装置の構成を示すブロック図
【図６】本発明の実施の形態２に係るセルＩＤの設定方法を示すシーケンス図
【図７】本発明の実施の形態２に係るＮＴＰサーバと基地局装置との接続状態を示す図
【図８】本発明の実施の形態３に係る基地局装置の構成を示すブロック図
【図９】本発明の実施の形態４に係る基地局装置の構成を示すブロック図
【図１０】本発明の実施の形態４に係る乱数発生器の構成を示すブロック図
【発明を実施するための形態】
【００１２】
以下、本発明の実施の形態について、図面を参照して詳細に説明する。
【００１３】
（実施の形態１）
図２は、本発明の実施の形態１に係る基地局装置１００の構成を示すブロック図である。基地局装置１００は、例えばフェムトセルであり、一般ユーザが設置可能な小型の基地局装置である。
【００１４】
基地局装置１００は、ネットワーク接続検出部１０１と、リセット検出部１０２と、ＤＨＣＰ（dynamic host configuration protocol）メッセージ生成部１０３と、ＤＨＣＰメッセージ送信部１０４と、ＤＨＣＰメッセージ受信部１０５と、制御部１０６と、ＩＰアドレス抽出部１０７と、セルＩＤ決定部１０８と、スクランブルコード（Scramble code）生成部１０９と、リファレンス信号（Reference signal）生成部１１０とから主に構成される。
【００１５】
ネットワーク接続検出部１０１は、ネットワークへ接続したか否かを検出し、ネットワークへの接続を検出した場合に、検出結果をＤＨＣＰメッセージ生成部１０３へ出力する。
【００１６】
リセット検出部１０２は、リセットされたか否かを検出し、リセットを検出した場合に、検出結果をＤＨＣＰメッセージ生成部１０３へ出力する。
【００１７】
ＤＨＣＰメッセージ生成部１０３は、ネットワークへの接続の検出結果がネットワーク接続検出部１０１から入力した場合、またはリセットの検出結果がリセット検出部１０２から入力した場合に、ＤＨＣＰＤＩＳＣＯＶＥＲメッセージを生成する。また、ＤＨＣＰメッセージ生成部１０３は、生成したＤＨＣＰＤＩＳＣＯＶＥＲメッセージをＤＨＣＰメッセージ送信部１０４へ出力する。また、ＤＨＣＰメッセージ生成部１０３は、制御部１０６から指示されたＤＨＣＰサーバ宛の、ＤＨＣＰＲＥＱＵＥＳＴメッセージを生成し、生成したＤＨＣＰＲＥＱＵＥＳＴメッセージをＤＨＣＰメッセージ送信部１０４へ出力する。
【００１８】
ＤＨＣＰメッセージ送信部１０４は、ＤＨＣＰメッセージ生成部１０３から入力したＤＨＣＰＤＩＳＣＯＶＥＲメッセージを図示しないＤＨＣＰサーバへブロードキャストする。また、ＤＨＣＰメッセージ送信部１０４は、ＤＨＣＰメッセージ生成部１０３から入力したＤＨＣＰＲＥＱＵＥＳＴメッセージをブロードキャストする。
【００１９】
ＤＨＣＰメッセージ受信部１０５は、図示しないＤＨＣＰサーバからＤＨＣＰＯＦＦＥＲメッセージまたはＤＨＣＰＡＣＫメッセージを受信し、受信したＤＨＣＰＯＦＦＥＲメッセージまたはＤＨＣＰＡＣＫメッセージを制御部１０６へ出力する。
【００２０】
制御部１０６は、ＤＨＣＰメッセージ受信部１０５から入力したＤＨＣＰＯＦＦＥＲメッセージに基づいて１つのＤＨＣＰサーバを選択する。そして、制御部１０６は、ＤＨＣＰメッセージ生成部１０３に対して、選択したＤＨＣＰサーバにＤＨＣＰＲＥＱＵＥＳＴメッセージを送信するように指示する。また、制御部１０６は、ＤＨＣＰメッセージ受信部１０５から入力したＤＨＣＰＡＣＫメッセージをＩＰアドレス抽出部１０７へ出力する。
【００２１】
ＩＰアドレス抽出部１０７は、制御部１０６から入力したＤＨＣＰＡＣＫメッセージのＩＰアドレスフィールドに格納されている、ＤＨＣＰサーバにより自局（基地局装置１００）に割り当てられた動的パラメータであるＩＰアドレスを抽出する。そして、ＩＰアドレス抽出部１０７は、抽出したＩＰアドレスをセルＩＤ決定部１０８へ出力する。
【００２２】
セルＩＤ決定部１０８は、ＩＰアドレス抽出部１０７から入力したＩＰアドレスに基づいて、基地局装置１００に固有のセルＩＤを設定する。そして、セルＩＤ決定部１０８は、設定したセルＩＤをスクランブルコード生成部１０９及びリファレンス信号生成部１１０へ出力する。ここで、セルＩＤとは、セルを識別するＩＤであり、セル毎に異なる数値を示すように数値化されている。
【００２３】
スクランブルコード生成部１０９は、セルＩＤ決定部１０８から入力したセルＩＤを用いて、下り信号の送信に必要なスクランブルコードを生成する。
【００２４】
リファレンス信号生成部１１０は、セルＩＤ決定部１０８から入力したセルＩＤを用いて、下り信号の送信に必要なリファレンス信号を生成する。
【００２５】
次に、基地局装置１００におけるセルＩＤの設定方法について、図３を用いて説明する。図３は、セルＩＤの設定方法を示すシーケンス図である。
【００２６】
最初に、基地局装置１００のネットワーク接続検出部１０１は、ネットワークへの接続を検出し、ＤＨＣＰメッセージ生成部１０３は、ＤＨＣＰＤＩＳＣＯＶＥＲメッセージを生成し、ＤＨＣＰメッセージ送信部１０４は、ＤＨＣＰＤＩＳＣＯＶＥＲメッセージをブロードキャストする（ステップＳＴ３０１）。
【００２７】
次に、ＤＨＣＰサーバ３００は、ＤＨＣＰＤＩＳＣＯＶＥＲメッセージを受信し、受信したＤＨＣＰＤＩＳＣＯＶＥＲメッセージの応答として、ＩＰアドレス等の情報を含むＤＨＣＰＯＦＦＥＲメッセージを基地局装置１００のＭＡＣアドレス宛に送信する（ステップＳＴ３０２）。
【００２８】
複数のＤＨＣＰサーバ３００が存在する場合、基地局装置１００のＤＨＣＰメッセージ受信部１０５は、複数のＤＨＣＰＯＦＦＥＲメッセージを受信する。そして、基地局装置１００の制御部１０６は、１つのＤＨＣＰサーバ３００を選択し、ＤＨＣＰメッセージ生成部１０３は、選択したＤＨＣＰサーバ宛のＤＨＣＰＲＥＱＵＥＳＴメッセージを生成し、ＤＨＣＰメッセージ送信部１０４は、ＤＨＣＰＲＥＱＵＥＳＴメッセージをブロードキャストする（ステップＳＴ３０３）。
【００２９】
次に、ＤＨＣＰＲＥＱＵＥＳＴメッセージを受信したＤＨＣＰサーバ３００は、コンフィグレーション情報を含むＤＨＣＰＡＣＫメッセージを送信する（ステップＳＴ３０４）。この際、ＤＨＣＰＡＣＫメッセージのＩＰアドレスフィールドには、基地局装置１００に割り当てたＩＰアドレスが挿入される。
【００３０】
ＤＨＣＰＡＣＫメッセージを受信した基地局装置１００のＩＰアドレス抽出部１０７は、ＤＨＣＰＡＣＫメッセージに含まれるＩＰアドレス等のパラメータのチェック及び記録を行うとともに、ＩＰアドレスを抽出する。
【００３１】
また、セルＩＤ決定部１０８は、ＩＰアドレスに基づいてセルＩＤを決定する（ステップＳＴ３０５）。この際、セルＩＤ決定部１０８は、ＩＰアドレスの最下位ビット（ＬＳＢ）の１６ビットをセルＩＤとして設定する。例えば、セルＩＤ決定部１０８は、ＩＰアドレスが１６進数標記で「１２３４：：４６７ｄ：０１２３：００４ｄ：：：２２ａ１」であった場合、最下位ビットである「２２ａ１」の上位ビット側に「０ｘ」を付加して、「０ｘ２２ａ１」をセルＩＤとして設定する。なお、ＩＰアドレスの最下位ビットをセルＩＤとして設定する場合に限らず、ＩＰアドレスの最上位ビット等のＩＰアドレスの任意のビットをセルＩＤとして設定することができる。
【００３２】
次に、基地局装置１００のスクランブルコード生成部１０９は、セルＩＤから下り信号の送信に必要なスクランブルコードを生成し、リファレンス信号生成部１１０は、セルＩＤから下り信号の送信に必要なリファレンス信号を生成する（各系列生成）（ステップＳＴ３０６）。
【００３３】
次に、基地局装置１００のリセット検出部１０２は、リセットスイッチが押下された場合に、ステップＳＴ３０１〜ステップＳＴ３０６の動作を再び繰り返すために、ＤＨＣＰメッセージ生成部１０３に対して、ステップＳＴ３０１の処理の開始を指示する。
【００３４】
図４は、ＤＨＣＰサーバと基地局装置との接続状態を示す図である。
【００３５】
図４より、基地局装置１００は、インターネット４００を介して、ＤＨＣＰサーバ３００と接続する。そして、ＤＨＣＰサーバ３００は、ＩＰｖ６のＩＰアドレスを含むＤＨＣＰＡＣＫメッセージをインターネット４００を介して基地局装置１００へ送信する。
【００３６】
このように、本実施の形態によれば、基地局装置は、自局に割り当てられたＩＰアドレスから自局のセルＩＤを設定することにより、一般ユーザが設置する基地局装置において、セルＩＤの設定が必要な場合に、セルＩＤの設定を容易に行うことができる。また、本実施の形態によれば、ＩＰアドレスを用いて基地局装置により自律的にセルＩＤを設定することにより、基地局装置をプラグアンドプレイで動作させることができる。また、本実施の形態によれば、ＩＰアドレスを用いてセルＩＤを設定するので、セルＩＤ設定用の専用の情報の送受信を行う必要がないことより、基地局装置における処理負荷を増大させることなくセルＩＤを適宜設定することができる。
【００３７】
（実施の形態２）
図５は、本発明の実施の形態２に係る基地局装置５００の構成を示すブロック図である。基地局装置５００は、例えばフェムトセルであり、一般ユーザが設置可能な小型の基地局装置である。
【００３８】
図５に示す基地局装置５００は、図２に示す実施の形態１に係る基地局装置１００に対して、ＤＨＣＰメッセージ生成部１０３と、ＤＨＣＰメッセージ送信部１０４と、ＤＨＣＰメッセージ受信部１０５と、ＩＰアドレス抽出部１０７とを除き、ＮＴＰ（Network Time Protocol）メッセージ生成部５０１と、ＮＴＰメッセージ送信部５０２と、ＮＴＰメッセージ受信部５０３と時刻情報抽出部５０４とを追加し、セルＩＤ決定部１０８の代わりにセルＩＤ決定部５０５を有する。なお、図５において、図２と同一構成である部分には同一の符号を付してその説明を省略する。
【００３９】
基地局装置５００は、ネットワーク接続検出部１０１と、リセット検出部１０２と、スクランブルコード生成部１０９と、リファレンス信号生成部１１０と、ＮＴＰメッセージ生成部５０１と、ＮＴＰメッセージ送信部５０２と、ＮＴＰメッセージ受信部５０３と、時刻情報抽出部５０４と、セルＩＤ決定部５０５とから主に構成される。
【００４０】
ネットワーク接続検出部１０１は、ネットワークへ接続したか否かを検出し、ネットワークへの接続を検出した場合に、検出結果をＮＴＰメッセージ生成部５０１へ出力する。
【００４１】
リセット検出部１０２は、リセットされたか否かを検出し、リセットを検出した場合に、検出結果をＮＴＰメッセージ生成部５０１へ出力する。
【００４２】
ＮＴＰメッセージ生成部５０１は、ネットワークへの接続の検出結果がネットワーク接続検出部１０１から入力した場合、またはリセットの検出結果がリセット検出部１０２から入力した場合に、ＮＴＰＲＥＱＵＥＳＴメッセージを生成する。また、ＮＴＰメッセージ生成部５０１は、生成したＮＴＰＲＥＱＵＥＳＴメッセージをＮＴＰメッセージ送信部５０２へ出力する。
【００４３】
ＮＴＰメッセージ送信部５０２は、ＮＴＰメッセージ生成部５０１から入力したＮＴＰＲＥＱＵＥＳＴメッセージを図示しないＮＴＰサーバへ送信する。
【００４４】
ＮＴＰメッセージ受信部５０３は、図示しないＮＴＰサーバからＮＴＰＲＥＳＰＯＮＳＥメッセージを受信し、受信したＮＴＰＲＥＳＰＯＮＳＥメッセージを時刻情報抽出部５０４へ出力する。
【００４５】
時刻情報抽出部５０４は、ＮＴＰメッセージ受信部５０３から入力したＮＴＰＲＥＳＰＯＮＳＥメッセージより、動的パラメータである時刻情報を抽出し、抽出した時刻情報をセルＩＤ決定部５０５へ出力する。ここで、時刻情報の時刻は、例えば基地局装置５００の電源投入時刻である。また、時刻情報とは、例えばタイムスタンプである。
【００４６】
セルＩＤ決定部５０５は、時刻情報抽出部５０４から入力した時刻情報に基づいて、基地局装置５００に固有のセルＩＤを設定する。そして、セルＩＤ決定部５０５は、設定したセルＩＤをスクランブルコード生成部１０９及びリファレンス信号生成部１１０へ出力する。
【００４７】
スクランブルコード生成部１０９は、セルＩＤ決定部５０５から入力したセルＩＤを用いて、下り信号の送信に必要なスクランブルコードを生成する。
【００４８】
リファレンス信号生成部１１０は、セルＩＤ決定部５０５から入力したセルＩＤを用いて、下り信号の送信に必要なリファレンス信号を生成する。
【００４９】
次に、基地局装置５００におけるセルＩＤの設定方法について、図６を用いて説明する。図６は、セルＩＤの設定方法を示すシーケンス図である。
【００５０】
最初に、基地局装置５００のネットワーク接続検出部１０１は、ネットワークへの接続を検出し、ＮＴＰメッセージ生成部５０１は、ＮＴＰＲＥＱＵＥＳＴメッセージを生成し、ＮＴＰメッセージ送信部５０２は、ＮＴＰＲＥＱＵＥＳＴメッセージをＮＴＰサーバ６００へ送信する（ステップＳＴ６０１）。
【００５１】
次に、ＮＴＰサーバ６００は、ＮＴＰＲＥＱＵＥＳＴメッセージを受信し、受信したＮＴＰＲＥＱＵＥＳＴメッセージの応答として、時刻情報を含むＮＴＰＲＥＳＰＯＮＳＥメッセージを基地局装置５００へ送信する（ステップＳＴ６０２）。例えば、ＮＴＰサーバ６００は、時刻情報として「０ｘ２３Ｂ６Ｄ２８０」を含むＮＴＰＲＥＳＰＯＮＳＥメッセージを送信する。
【００５２】
次に、基地局装置５００のＮＴＰメッセージ受信部５０３は、ＮＴＰＲＥＳＰＯＮＳＥメッセージを受信する。そして、基地局装置５００の時刻情報抽出部５０４は、ＮＴＰＲＥＳＰＯＮＳＥメッセージから時刻情報を抽出する。
【００５３】
そして、基地局装置５００のセルＩＤ決定部５０５は、時刻情報に基づいてセルＩＤを決定する（ステップＳＴ６０３）。この際、セルＩＤ決定部５０５は、時刻情報の最下位ビットの１６ビットをセルＩＤとして設定する。例えば、セルＩＤ決定部５０５は、タイムスタンプ「０ｘ２３Ｂ６Ｄ２８０」の最下位ビットである「Ｄ２８０」の上位ビット側に「０ｘ」を付加して、「０ｘＤ２８０」をセルＩＤとして設定する。なお、タイムスタンプの最下位ビットをセルＩＤとして設定する場合に限らず、タイムスタンプの最上位ビット等のタイムスタンプの任意のビットをセルＩＤとして設定することができる。
【００５４】
次に、基地局装置５００のスクランブルコード生成部１０９は、セルＩＤから下り信号の送信に必要なスクランブルコードを生成し、リファレンス信号生成部１１０は、セルＩＤから下り信号の送信に必要なリファレンス信号を生成する。
【００５５】
また、基地局装置５００のリセット検出部１０２は、リセットスイッチが押下された場合に、ステップＳＴ６０１〜ステップＳＴ６０３の動作を再び繰り返すために、ＮＴＰメッセージ生成部５０１に対して、ステップＳＴ６０１の処理の開始を指示する。
【００５６】
図７は、ＮＴＰサーバと基地局装置との接続状態を示す図である。
【００５７】
図７より、基地局装置５００は、インターネット７００を介して、ＮＴＰサーバ６００と接続する。そして、ＮＴＰサーバ６００は、時刻情報を含むＮＴＰＲＥＳＰＯＮＳＥメッセージをインターネット７００を介して基地局装置５００へ送信する。
【００５８】
このように、本実施の形態によれば、基地局装置は、電源投入時の時刻情報から自局のセルＩＤを設定することにより、一般ユーザが設置する基地局装置において、セルＩＤの設定が必要な場合に、セルＩＤの設定を容易に行うことができる。また、本実施の形態によれば、時刻情報を用いて基地局装置により自律的にセルＩＤを設定することにより、基地局装置をプラグアンドプレイで動作させることができる。また、本実施の形態によれば、時刻情報を用いてセルＩＤを設定するので、セルＩＤ設定用の専用の情報の送受信を行う必要がないことより、基地局装置における処理負荷を増大させることなくセルＩＤを適宜設定することができる。
【００５９】
なお、本実施の形態において、時刻情報をＮＴＰサーバから取得したが、本実施の形態はこれに限らず、時刻情報をＧＰＳ衛星から取得しても良い。
【００６０】
（実施の形態３）
図８は、本発明の実施の形態３に係る基地局装置８００の構成を示すブロック図である。基地局装置８００は、例えばフェムトセルであり、一般ユーザが設置可能な小型の基地局装置である。
【００６１】
基地局装置８００は、記憶部８０１と、変換部８０２と、セルＩＤ決定部８０３と、スクランブルコード生成部８０４と、リファレンス信号生成部８０５とから主に構成される。
【００６２】
記憶部８０１は、あらかじめ基地局装置８００に対して設定した動的パラメータである基地局装置名を記憶する。ここで、基地局装置名とは、例えばフェムトセル名「ＬＴＥｆｅｍｔｏ」である。
【００６３】
変換部８０２は、アスキーコード表をあらかじめ記憶している。また、変換部８０２は、基地局装置８００がユーザにより設置されたことを検出する設置検出信号が入力した際に、記憶部８０１から基地局装置８００の基地局装置名を読み出す。また、変換部８０２は、アスキーコード表を用いて、読み出した基地局装置名に対応するアスキーコードに変換する。例えば、変換部８０２は、アスキーコード表を用いて、基地局装置名「ＬＴＥｆｅｍｔｏ」に対応するアスキーコード「０ｘ４Ｃ５４４５６６６５６Ｄ７４６Ｆ」に変換する。そして、変換部８０２は、変換したアスキーコードをセルＩＤ決定部８０３へ出力する。
【００６４】
セルＩＤ決定部８０３は、変換部８０２から入力したアスキーコードに基づいて、基地局装置８００に固有のセルＩＤを設定する。例えば、セルＩＤ決定部８０３は、アスキーコード「０ｘ４Ｃ５４４５６６６５６Ｄ７４６Ｆ」から「７４６Ｆ」を抽出し、抽出した「７４６Ｆ」の上位ビット側に「０ｘ」を付加して、「０ｘ７４６Ｆ」をセルＩＤとして設定する。そして、セルＩＤ決定部８０３は、設定したセルＩＤをスクランブルコード生成部８０４及びリファレンス信号生成部８０５へ出力する。
【００６５】
スクランブルコード生成部８０４は、セルＩＤ決定部８０３から入力したセルＩＤを用いて、下り信号の送信に必要なスクランブルコードを生成する。
【００６６】
リファレンス信号生成部８０５は、セルＩＤ決定部８０３から入力したセルＩＤを用いて、下り信号の送信に必要なリファレンス信号を生成する。
【００６７】
このように、本実施の形態によれば、基地局装置は、記憶している自局の基地局装置名から自局のセルＩＤを設定することにより、一般ユーザが設置する基地局装置において、セルＩＤの設定が必要な場合に、セルＩＤの設定を容易に行うことができる。また、本実施の形態によれば、基地局装置の名称を用いて基地局装置により自律的にセルＩＤを設定することにより、基地局装置をプラグアンドプレイで動作させることができる。また、本実施の形態によれば、基地局装置の名称を用いてセルＩＤを設定するので、セルＩＤ設定用の専用の情報を記憶する必要がないことより、基地局装置に搭載されるメモリの容量を増大させることなくセルＩＤを適宜設定することができる。
【００６８】
なお、本実施の形態において、基地局装置の名称を用いてセルＩＤを設定したが、本実施の形態はこれに限らず、アスキーコードに変換可能な基地局装置の名称以外の任意の情報を用いてセルＩＤを設定することができる。
【００６９】
（実施の形態４）
図９は、本発明の実施の形態４に係る基地局装置９００の構成を示すブロック図である。基地局装置９００は、例えばフェムトセルであり、一般ユーザが設置可能な小型の基地局装置である。
【００７０】
基地局装置９００は、記憶部９０１と、乱数発生器初期化部９０２と、リセット検出部９０３と、セルＩＤ決定部９０４と、スクランブルコード生成部９０５と、リファレンス信号生成部９０６とから主に構成される。
【００７１】
記憶部９０１は、あらかじめ基地局装置９００に付与されている静的パラメータであるＭＡＣアドレスを記憶する。例えば、記憶部９０１は、ＭＡＣアドレスとして「０ｘ００−１９−Ｂ９−０Ｆ−Ａ７−Ｂ９」を記憶する。
【００７２】
乱数発生器初期化部９０２は、基地局装置９００がユーザにより設置されたことを検出する設置検出信号が入力した際に、記憶部９０１から自局（基地局装置９００）に割り当てられているＭＡＣアドレスを読み出す。また、乱数発生器初期化部９０２は、読み出したＭＡＣアドレスから乱数発生器の初期化用のパラメータを抽出する。例えば、乱数発生器初期化部９０２は、ＭＡＣアドレス「０ｘ００−１９−Ｂ９−０Ｆ−Ａ７−Ｂ９」の最下位ビットの８ビットである「Ｂ９」を抽出し、抽出した「Ｂ９」を２進数に変換した「１０１１１００１」を初期化用のパラメータとして抽出する。そして、乱数発生器初期化部９０２は、抽出したパラメータをセルＩＤ決定部９０４へ出力する。
【００７３】
リセット検出部９０３は、リセットされたか否かを検出し、リセットを検出した場合に、検出結果をセルＩＤ決定部９０４へ出力する。
【００７４】
セルＩＤ決定部９０４は、乱数発生器を有しており、乱数発生器初期化部９０２から入力した初期化用のパラメータにより乱数発生器を初期化する。また、セルＩＤ決定部９０４は、初期化した乱数発生器を用いてセルＩＤを設定する。そして、セルＩＤ決定部９０４は、設定したセルＩＤをスクランブルコード生成部９０５及びリファレンス信号生成部９０６へ出力する。また、セルＩＤ決定部９０４は、リセット検出部９０３からリセットの検出結果が入力した場合に、乱数発生器における線形帰還シフト演算を行い、セルＩＤの更新を行う。なお、乱数発生器の具体的な構成については後述する。
【００７５】
スクランブルコード生成部９０５は、セルＩＤ決定部９０４から入力したセルＩＤを用いて、下り信号の送信に必要なスクランブルコードを生成する。
【００７６】
リファレンス信号生成部９０６は、セルＩＤ決定部９０４から入力したセルＩＤを用いて、下り信号の送信に必要なリファレンス信号を生成する。
【００７７】
次に、乱数発生器１０００の構成について、図１０を用いて説明する。図１０は、乱数発生器１０００の構成を示すブロック図である。
【００７８】
乱数発生器１０００は、シフトレジスタ１００１〜１００８と、排他的論理和回路１００９〜１０１２と、出力バッファ１０１３とにより構成される。
【００７９】
各シフトレジスタ１００１〜１００８は、乱数発生器初期化部９０２から入力したパラメータの各値を各々格納する。また、各シフトレジスタ１００１〜１００７は、所定の回数線形帰還シフト演算を行うことにより、格納した値を右隣のシフトレジスタ１００１〜１００８に都度出力する。また、シフトレジスタ１００１は、格納した値を排他的論理和回路１００９へ出力するとともに、線形帰還シフト演算により、排他的論理和回路１００９から入力した値を格納する。また、シフトレジスタ１００３は、格納した値を排他的論理和回路１０１０へ出力する。また、シフトレジスタ１００４は、格納した値を排他的論理和回路１０１１へ出力する。また、シフトレジスタ１００６は、格納した値を排他的論理和回路１０１２へ出力する。また、シフトレジスタ１００８は、格納した値を排他的論理和回路１０１２及び出力バッファ１０１３へ出力する。ここで、乱数発生器の初期化とは、シフトレジスタ１００１〜１００８に格納する値を、乱数発生器初期化部９０２から入力したパラメータの値に置換することを言う。具体的には、シフトレジスタ１００１は、格納する値を、乱数発生器初期化部９０２から入力した値「１０１１１００１」のうち、最上位ビット「１」に置換する。また、シフトレジスタ１００２は、格納する値を第２位の上位ビット「０」に置換する。シフトレジスタ１００３〜１００８についても同様に、格納する値を、第３位の上位ビット〜最下位ビットの値に各々置換する。
【００８０】
排他的論理和回路１００９は、シフトレジスタ１００１から入力した値と排他的論理和回路１０１０から入力した値とを排他的論理和してシフトレジスタ１００１へ出力する。
【００８１】
排他的論理和回路１０１０は、シフトレジスタ１００３から入力した値と排他的論理和回路１０１１から入力した値とを排他的論理和して排他的論理和回路１００９へ出力する。
【００８２】
排他的論理和回路１０１１は、シフトレジスタ１００４から入力した値と排他的論理和回路１０１２から入力した値とを排他的論理和して排他的論理和回路１０１０へ出力する。
【００８３】
排他的論理和回路１０１２は、シフトレジスタ１００６から入力した値とシフトレジスタ１００８から入力した値とを排他的論理和して排他的論理和回路１０１１へ出力する。
【００８４】
出力バッファ１０１３は、シフトレジスタ１００８から入力した値を保持する。
【００８５】
次に、乱数発生器１０００を用いたセルＩＤの設定方法について説明する。
【００８６】
まず、各シフトレジスタ１００１〜１００８の状態を、乱数発生器初期化部９０２から入力した値に置換することにより、乱数発生器１０００の初期化を行う。次に、乱数発生器１０００において所定の回数線形帰還シフト演算を行う。具体的には、シフトレジスタ１００１に格納した値を右隣のシフトレジスタ１００２に出力し、シフトレジスタ１００２はシフトレジスタ１００１から入力した値を格納する。また、シフトレジスタ１００２に格納した値を右隣のシフトレジスタ１００３に出力し、シフトレジスタ１００３はシフトレジスタ１００２から入力した値を格納する。シフトレジスタ１００４〜１００７についても同様に、格納した値を、右隣のシフトレジスタに各々出力する。シフトレジスタ１００８は、格納した値を出力バッファ１０１３に出力する。また、排他的論理和回路１００９〜１０１２は排他的論理和演算を行い、排他的論理和回路１００９における演算結果をシフトレジスタ１００１に格納する。
【００８７】
そして、乱数発生器１０００は、線形帰還シフト数を１００回、及び出力バッファ１０１３のビットサイズを１６ビットとした場合、最終的に「００１００１１０１００１００１０」の２進数値を得る。セルＩＤ決定部９０４は、乱数発生器１０００において得た２進数値を１６進数値に変換し、さらに先頭に「０ｘ」を付加して、「０ｘ２６９２」をセルＩＤとして設定する。
【００８８】
このように、本実施の形態によれば、基地局装置は、記憶している自局のＭＡＣアドレスから自局のセルＩＤを設定することにより、一般ユーザが設置する基地局装置において、セルＩＤの設定が必要な場合に、セルＩＤの設定を容易に行うことができる。また、本実施の形態によれば、ＭＡＣアドレスを用いて基地局装置により自律的にセルＩＤを設定することにより、基地局装置をプラグアンドプレイで動作させることができる。また、本実施の形態によれば、ＭＡＣアドレスを用いてセルＩＤを設定するので、セルＩＤ設定用の専用の情報を記憶する必要がないことより、基地局装置に搭載されるメモリの容量を増大させることなくセルＩＤを適宜設定することができる。
【００８９】
なお、本実施の形態において、ＭＡＣアドレスを用いて乱数発生器を初期化したが、本実施の形態はこれに限らず、本実施の形態を上記の実施の形態１〜実施の形態３に適用することにより、ＩＰアドレス、時刻情報、または基地局装置名を用いて乱数表を初期化しても良い。また、本実施の形態において、ＭＡＣアドレスを用いてセルＩＤを設定したが、本実施の形態はこれに限らず、基地局装置に割り当てられるＭＡＣアドレス以外の任意のアドレスを用いてセルＩＤを設定することができる。また、本実施の形態において、乱数発生手段として線形帰還シフトレジスタを用いたが、本実施の形態はこれに限らず、線形合同法等、任意の乱数発生アルゴリズムを用いてもよい。
【００９０】
上記実施の形態１〜実施の形態４において、ＩＰアドレス、時刻情報、基地局装置名、またはＭＡＣアドレスを用いてセルＩＤを設定したが、本発明はこれに限らず、上り回線の周波数（Uplink frequency）、ホッピング・モード（hopping mode）、サウンディング・リファレンス・シグナル・コンフィグレーション（Sounding Reference Signal configuration）等を用いてセルＩＤを設定しても良い。
【００９１】
２００９年３月２日出願の特願２００９−４８４７３の日本出願に含まれる明細書、図面および要約書の開示内容は、すべて本願に援用される。
【産業上の利用可能性】
【００９２】
本発明にかかる基地局装置及びセルＩＤの設定方法は、特にユーザが基地局装置を設置した場合にセルＩＤを自律的に決定するのに好適である。
【図１】
0005453390.tif 000002
【図２】
0005453390.tif 000003
【図３】
0005453390.tif 000004
【図４】
0005453390.tif 000005
【図５】
0005453390.tif 000006
【図６】
0005453390.tif 000007
【図７】
0005453390.tif 000008
【図８】
0005453390.tif 000009
【図９】
0005453390.tif 000010
【図１０】
0005453390.tif 000011